(57)【要約】  スロットを画定する１対の脚部を備えた磨耗部材が、一片の掘削機器の掘削エッジをまたいでいる。１つの構成では、スロットは、１対の傾斜表面、および掘削エッジ上で相補的経路内に嵌合する横に延びる縁部を備えた、その前端部に形成される。ロックは、掘削エッジを磨耗部材に解放可能に固定するように、磨耗部材内の開口内で受けられる。
2009506241.tif 000002
【特許請求の範囲】
【請求項１】
掘削機器の掘削エッジを保護する磨耗部材であって、
前端部と、
前記掘削機器の支持構造物を受けるようになっており、上表面、下表面、および前記上表面と下表面の間に延びている前側当接表面によって画定される前端部を有する後向きに開口するキャビティであって、前記上および下表面は前記支持体構造物の中心平面に対して全体的に同じ方向に傾斜しているキャビティと、
前記磨耗部材を前記支持構造物に保持するようにロックを受ける開口とを備えた磨耗部材。
【請求項２】
前記上および下表面は互いにほぼ平行である、請求項１に記載の磨耗部材。
【請求項３】
前記キャビティはさらに、前記支持構造物内に画定された相補的リセス内に嵌合するように前記キャビティ内に突出し、前記傾斜した上および下表面の一方によって部分的に画定される支持体を備えた、請求項１に記載の磨耗部材。
【請求項４】
前記支持体は、前記キャビティにわたって横方向に延びる縁部である、請求項３に記載の磨耗部材。
【請求項５】
前記ロック用の前記開口は前壁面および後壁面を備え、前記後壁面は前記前壁面より前記キャビティ内にさらに延びている、請求項１に記載の磨耗部材。
【請求項６】
前記当接表面は湾曲しており、凹状である、請求項１に記載の磨耗部材。
【請求項７】
前記当接表面は凹状であり、２つの垂直軸周りで湾曲している、請求項６に記載の磨耗部材。
【請求項８】
前記キャビティは、前記磨耗部材より幅広い前記支持構造物をまたぐように、後向きにまた前記磨耗部材に対して両側に沿って開口するスロットである、請求項１に記載の磨耗部材。
【請求項９】
磨耗可能な前端部を備えたシュラウドである、請求項８に記載の磨耗部材。
【請求項１０】
掘削機器の掘削エッジを保護する磨耗部材であって、
前端部と、
それぞれもう一方の脚部に面する内側表面を備えた、１対の後側に延びる脚部と、
前記脚部の前記内側表面、および前側当接表面によって画定され、前記脚部が前記機器の前記掘削エッジをまたぐことができるように後側に、また両側で開口するスロットと、
前記スロット内の前記脚部の一方の上にあり、前記掘削エッジ内の相補的経路内で受けるように前記脚部の前記後側延長部に対して横に延びる縁部と、
前記掘削エッジに前記磨耗部材を保持するようにロックを受ける開口とを備えた磨耗部材。
【請求項１１】
前記縁部の前側の内側表面は、互いにほぼ平行である、請求項１０に記載の磨耗部材。
【請求項１２】
前記開口は前記脚部の一方に形成され、前記縁部が前記脚部のもう一方にわたって延びる、請求項１０に記載の磨耗部材。
【請求項１３】
前記当接表面は凹状であり、湾曲している、請求項１０に記載の磨耗部材。
【請求項１４】
前記当接表面は凹状であり、２つの垂直軸周りで湾曲している、請求項１３に記載の磨耗部材。
【請求項１５】
磨耗可能な前端部を備えたシュラウドである、請求項１０に記載の磨耗部材。
【請求項１６】
掘削機器の掘削エッジを保護する磨耗部材であって、
前端部と、
脚部が前記掘削機器の前記掘削エッジをまたぐように後向きに、両側で開口し、当接表面によって前端部上で閉じ、さらに下向きに窪む前端部を有するスロットを画定するように、前記前端部から後向きに延びる上側脚部および下側脚部と、
前記掘削エッジに対して前記磨耗部材を保持するようにロックを受ける前記上側脚部内の開口とを備えた磨耗部材。
【請求項１７】
前記スロットの前記前端部は、前記上側および下側脚部の内側表面によって部分的に画定され、前記内側表面は前記当接表面に向かって延びるときに下向きに傾斜する、請求項１６に記載された磨耗部材。
【請求項１８】
前記内側表面は互いにほぼ平行である、請求項１７に記載の磨耗部材。
【請求項１９】
前記当接表面は凹状であり、湾曲している、請求項１６に記載の磨耗部材。
【請求項２０】
前記当接表面は凹状であり、２つの垂直軸周りで湾曲している、請求項１９に記載の磨耗部材。
【請求項２１】
磨耗可能な前端部を備えたシュラウドである、請求項１６に記載の磨耗部材。
【請求項２２】
掘削機器の掘削エッジを保護する磨耗アセンブリであって、
前端部と、前記掘削エッジの支持構造物を受けるようになっている後向きに開口し、上表面、下表面、および前記上と下表面の間に延びる前側当接表面によって画定された前端部を有するキャビティであって、前記上および下表面は、前記支持構造物の中心平面および開口に対して全体的に同じ方向に傾斜しているキャビティとを有する磨耗部材と、
前記掘削機器に前記磨耗部材を保持するように前記開口内に受けられるロックとを備えた磨耗アセンブリ。
【請求項２３】
前記上および下表面は、互いにほぼ平行である、請求項２２に記載の磨耗アセンブリ。
【請求項２４】
前記キャビティはさらに、前記支持構造物内に画定された相補的経路内に嵌合するように横縁部を備え、前記突起は前記傾斜した上および下表面の一方によって部分的に画定される、請求項２２に記載の磨耗アセンブリ。
【請求項２５】
前記キャビティは、前記磨耗部材が前記磨耗部材より幅広い前記掘削エッジにまたがるように、後向きに、また両側に開口するスロットである、請求項２２に記載の磨耗アセンブリ。
【請求項２６】
掘削機器の掘削エッジを保護する磨耗アセンブリであって、
横経路内に形成された支持構造物と、
前端部、もう一方の脚部に面した内側表面をそれぞれ含む１対の後向きに延びた脚部、前記脚部の前記内側表面および前側当接表面によって画定され、前記脚部が前記掘削エッジをまたぐように後向きに、両側で開口するスロット、前記支持構造物内の前記経路内に受けるように前記脚部の前記後向き延長部に対して横に延びる縁部、および開口を備えた、前記支持構造物上に取り付ける磨耗部材と、
前記支持構造物に対して前記磨耗部材を保持するように、前記開口内に受けるロックとを備えた磨耗アセンブリ。
【請求項２７】
前記縁部の前側の前記内側表面は互いにほぼ平行である、請求項２６に記載の磨耗アセンブリ。
【請求項２８】
前記縁部は、前記ロック用の前記開口を備えた前記脚部と反対側で前記脚部にわたって延びる、請求項２６に記載の磨耗アセンブリ。
【請求項２９】
前記支持構造物は、前記掘削機器の前記掘削エッジの成形部である、請求項２６に記載の磨耗アセンブリ。
【請求項３０】
前記支持構造物は、前記掘削機器の前記掘削エッジ内に溶接されたインサートである、請求項２６に記載の磨耗アセンブリ。
【請求項３１】
前記開口内の前記ロックは、前記インサートに対して設定される、請求項３０に記載の磨耗アセンブリ。
【請求項３２】
前記インサートは、前記掘削エッジの残りより固い材料で構成されている、請求項３０に記載の磨耗アセンブリ。
【請求項３３】
掘削機器の掘削エッジを保護する磨耗アセンブリであって、
前端部、脚部が前記掘削機器の前記掘削エッジをまたぐように後向きに、両側で開口し、当接表面によって前端部上で閉じ、さらに下向きに窪む前端部を有するスロットを画定するように前記前端部から後向きに延びる１対の脚部、および前記掘削エッジに対して磨耗部材を保持するようにロックを受ける前記上側脚部内の開口を備えた磨耗部材と、
前記支持構造物に対して前記磨耗部材を保持するように、前記開口内に受けられるロックとを備えた磨耗アセンブリ。
【請求項３４】
前記スロットの前記前端部は、前記上および下脚部の内表面によって部分的に画定され、前記内側表面はそれぞれ、前記当接表面に向かって延びるときに下向きに傾斜する、請求項３３に記載の磨耗アセンブリ。
【請求項３５】
前記内側表面は互いにほぼ平行である、請求項３４に記載の磨耗部材。
【請求項３６】
掘削機器の掘削エッジを保護する磨耗アセンブリであって、
前端部、脚部が前記掘削機器の前記掘削エッジをまたぐように後向きに、両側で開口し、当接表面によって前端部上で閉じ、さらに下向きに窪む前端部を有するスロットを画定するように前記前端部から後向きに延びる１対の脚部、および開口を備えた、前記掘削エッジに取り付けるための磨耗部材と、
前記掘削エッジに対して前記磨耗部材を保持するように、前記開口内に受けられるロックと、
前記脚部の一方の内側で前記掘削エッジに固定された磨耗プレートとを備えた磨耗アセンブリ。
【請求項３７】
前記開口は前記磨耗部材の前記脚部の一方に形成され、前記磨耗プレートは前記脚部のもう一方の内側に固定される、請求項３６に記載の磨耗アセンブリ。
【発明の詳細な説明】
【技術分野】
【０００１】
本発明は、掘削機の掘削エッジに沿って使用する磨耗アセンブリに関する。
【背景技術】
【０００２】
全ての種類および寸法の掘削機器は、前部掘削エッジを損傷および磨耗から保護する様々な磨耗部品を備えている。その結果、磨耗部品は普通、研磨性の高い材料に曝され、困難な条件で使用される。掘削の厳しさに耐えるために、磨耗部品は使用中の損失を防ぐように掘削機器にしっかり保持しなければならない。それにも関わらず、厳しい環境により、部品は頻繁に磨耗し、交換が必要である。
【０００３】
磨耗部品を取り付けるための無数の方法が、掘削中に部品をしっかり保持し、部品が磨耗した場合の簡単な交換を容易にする際の様々な程度の成功で開発されてきた。例えば、磨耗部品はしばしば、使用中の損失を防ぐために、溶接によって掘削エッジに取り付けられている。溶接は部品をエッジにしっかり保持するが、交換が難しくなる。溶接磨耗部品を備えたバケットおよび他の掘削機器は普通、店舗における交換のために運転が中止される。このような動作は普通、バケットまたは他の掘削機器を長い期間運転中止させることにつながる。
【０００４】
溶接部品によって引き起こされる問題を避けるために、多くの磨耗部品は掘削エッジに機械的に取り付けられている。例えば、磨耗部品はＷｈｉｓｌｅｒ式取付具、ボルト留めなどによって固定することができる。このような手段によりこの分野における交換が容易になったが、掘削エッジ内に孔を形成する必要もあり、それによって機器が脆弱になる傾向がある。さらに、いくつかの機械的取付具は望ましくない緩みが起こりやすい。
【０００５】
米国特許第５，０８８，２１４号は、リップ内の孔の代わりにボスによる機械的に取り付けられた磨耗部材を開示している。それにも関わらず、これらの部品は製造するのが難しく、時に、特定の負荷を受けて脚部で高いレベルの応力を受ける可能性がある。
【発明の開示】
【発明が解決しようとする課題】
【０００６】
【課題を解決するための手段】
【０００７】
本発明は、バケットのリップなどの掘削機械の掘削エッジを保護するための磨耗アセンブリに関する。磨耗アセンブリは、機器の支持構造物に取り付けられた磨耗部材と、支持構造物に磨耗部材を保持するロックとを備えている。
【０００８】
本発明の一態様によると、磨耗部材は引き戻しに対する優れた抵抗、および特定の垂直負荷を提供するように基部を支承する内向き突出支持体を備えている。支持体および基部は、リップの中心平面に対して傾斜した相補的表面を備えており、支持体は基部のこの表面の後側にある。
【０００９】
１つの構成では、基部は磨耗部品の内側表面を受け、これと噛み合うようになっている上側および下側傾斜表面を備えている。磨耗部品はさらに、ボスの後側で掘削エッジをまたぐ間隔を置いて配置した１対の脚部を備えている。上側および下側表面を下向きに傾斜させて、支持体は磨耗部品の脚部の間に画定された空間内に上向きに突出する。支持体はその後、磨耗部材の上向き垂直負荷中に基部の下側傾斜表面を支承し、それによって、上側脚部内に発生する抵抗および付随する応力が小さくなる。したがって、脚部は小さな構成を有し、その製造により少ないスチールしか必要なく、交換時に処分する材料の量が少なくなり、故障の危険が小さくなり、取り除くのがより簡単になる。
【００１０】
本発明の別の態様では、掘削機器用磨耗部材は、支持構造物を受ける後向きに開口するキャビティを備えている。キャビティは、優れた支持を与えるように、支持構造物の中心平面に対して同じ全体的方向に傾斜した上側および下側表面をその前端部に有する。
【００１１】
本発明の別の態様は、掘削機器の掘削エッジを保護するための磨耗部材に関する。磨耗部材は、掘削エッジをまたぐ１対の脚部と、掘削エッジ内の相補的経路内に受けられる脚部の一方の上に横縁部とを備えている。縁部は、使用中に優れた支持を与え、反対側の脚部の応力を小さくする。
【００１２】
本発明の別の態様は、掘削機器の掘削エッジを受けるためのスロットを画定する１対の脚部を備えた磨耗部材に関する。スロットの前端部は下向きに窪み、当接表面によって閉じられる。このように、磨耗部材は優れた支持を有し、応力をあまり受けない。
【００１３】
本発明の別の態様では、掘削エッジより固い材料で形成されたインサートの形の支持構造物が、磨耗部材を支持するようになっているエッジの部分を交換するのに使用される。このように、基部はリップを磨耗からより十分保護することが可能である。１つの構成では、基部は、３つの側部で基部を囲む掘削機器の前部エッジ内に形成されたリセス内に固定される。その取付けを良くするため、基部の後壁面はほぼＶ字形の構成を有することが好ましい。
【００１４】
本発明の別の態様では、磨耗部品は、掘削機器の面の上に少なくとも部分的に延びている脚部を備えている。機械的取付具の代わりに、磨耗部品は普通は掘削動作に関連する重い負荷によりシフトする傾向がある。このシフトによって生じる磨耗を少なくするため、磨耗プレートが脚部と機器の間に固定される。
【００１５】
本発明の他の一態様によると、基部および磨耗部品は相補的な湾曲軸受面で形成される。基部は前側に面している凸状軸受表面を備えており、磨耗部品は対応する後側に面している凹状軸受表面を備えている。軸受面は、凹状軸受面がほぼ浅いボウル状の構成を有するように２つのほぼ垂直な軸周りで湾曲していることが好ましい。対応する凸状および凹状表面は、アセンブリの長手軸に対してある角度で負荷を受けて、磨耗部品に優れた支持を与える。
【００１６】
本発明の好ましい構成では、磨耗アセンブリは動作中に高い信頼性を与える。システムは、重い負荷による破損に耐える小さな応力環境で磨耗部材を安定して支持し、長い耐用期間を与える。製造するのは容易であり、少ない保守しか必要なく、簡単な交換処置を提供する。本発明のシステムは、機器の下にある掘削エッジ上の磨耗を少なくし、交換が必要な場合に処分する材料の量を最小限に抑える。
【００１７】
本発明のシステムはさらに、負荷に耐え、多くの従来の機械的に取り付けられた部品と比べて、より小さい部品での適切な保護を与えることが可能である。機器内に孔を形成することなく、または隣接するアダプタに依存することなく、磨耗部品の機械的取付けが可能になる。加えて、締付手段の意図しない緩みによる損失の問題が生じない。
【発明を実施するための最良の形態】
【００１８】
本発明は、掘削バケットのリップなどの掘削機の掘削エッジを保護するための磨耗アセンブリに関する。アセンブリはリップをシュラウドに固定するのに特に適しているが、本発明の概念は他の磨耗部材（例えば、アダプタ、ポイント、ウィングなど）をバケットリップまたは他の掘削機器に固定するのに使用することができる。議論を簡単にするために、この応用例はシュラウドをバケットに取り付けることに関する本発明のアセンブリを記載する。
【００１９】
本発明の一実施形態による磨耗アセンブリ１０は、シュラウドの形の磨耗部材１２と、基部または支持構造物１４と、ロック１６とを備えている（図１〜７）。シュラウドは、バケットリップ２０を保護し、接地材料をバケット内に案内するように、掘削歯の間で掘削バケット１８の前部エッジ１７の上に嵌合する磨耗部材である。図１は、支持点（図示せず）に対する前向きに突出しているノーズ２２を備えたリップ２０の一例を示している。ノーズおよび点は集合的に、バケットの前でアースを貫通し破断する掘削歯を画定する。ノーズ２２は図ではリップの鋳造部品として示されているが、溶接または機械的取付具によってアダプタとして取り付けることができる。いかなる場合でも、シュラウド１２はノーズ２２の間でリップ２０の前部エッジの上に配置される。
【００２０】
リップ２０は、シュラウド１２（図４〜７）を支持するようにリップ２０に固定されたインサートとして、またはシュラウド（図１１および１２）を支持するリップの固定部分としてのいずれかで形成された、基部または支持構造物１４を備えている。１つの構成（図４〜７）では、基部１４はリップ２０内のリセス２４内で溶接されるが、他の手段によって固定することができる。リセスは、鋳造リップの構成として、またはリップ内に切り込むことによって形成することができる。リセス２４は、後部２６ａおよび２つの側部２６ｂを有するほぼＵ字形支持壁面２６によって画定される。基部１４は、後部２６ａと対向する後部２８ａ、および側部２６ｂと対向する２つの側部２８ｂを備えた相補的な取付壁面２８を有する。溶接部３０は、固定取付具に対する基部のこれら３つの部分に沿って支持壁面２６に取付壁面２８を保持するのに使用される。図７から分かるように、取付壁面２８は効果的な溶接を容易にするようなＶ字形の凸状構成を有することが好ましい、すなわち、溶接部３０は基部を定位置に保持するように上側および下側面２８ａ、２８ｂに沿って塗布される。別の方法では、支持表面はＶ字形の構成で形成することができる、または異なる形状は全体的に取付けおよび支持表面２６、２８両方に使用することができる。いかなる場合でも、リセス２４は、掘削中に基部を定位置にしっかり保持するように、３つの側部で基部１４を囲むことが好ましい。
【００２１】
この構成（図４〜７）では、基部１４は２つの部分、すなわち、後部３７および前部４６との一体部材として鋳造されることが好ましいが、他の構成を使用することもできる。後部は、取付表面２８を画定する取付構造物を画定する。前部は、前向きに突出し、安定しかつしっかりした取付具を提供するように磨耗部材と協働するボスを画定する。基部は、磨耗部品１２との係合によって生じる磨耗により十分耐えるように、リップより固い材料で構成されていることが好ましい。それにも関わらず、リップは必ずしも基部より柔らかいわけではない。リップは普通剛性を強調するようにされて、より柔らかいことにつながる可能性があるが、リップは基部と比べて同じまたはより大きい硬度であってもよい。いかなる場合でも、磨耗に耐えるために、基部を固い材料で作ることが好ましい。
【００２２】
図示した実施形態（図１および７）では、リップ２０はバケットの内側面３４の一部としてランプ３２を備えている。ランプ３２は、狭い前縁部１７を画定するように外側壁面３６に向かって集中する。基部１４の後部３７は、全体的にランプ３２に関連する上側壁面３８、および外側壁面３６にほぼ同一の広がりを持つ下側壁面４０を備えている。横経路またはリセス９９は、以下に論じるように、磨耗部材１２の支持体１００を受けるように、基部１４にわたって延びる。図４から分かるように、後部３７はリセス２４内に全体的に受け入れられる。それにも関わらず、他の配置を使用することもできる。加えて、本発明の磨耗アセンブリは、異なる構成を有するリップと関連して使用することができる。
【００２３】
一実施形態では、前部４６は前向きに突出する本体４８、および直立したボス５０を備えている。好ましい構成では、ボス５０は後部３７（図４〜７）の上に部分的に後向きに延びる。前部４６は、前表面５２、側表面５４、上表面５６、および底表面５８を備えている。上および底表面５６、５８は、互いにほぼ平行であり、後向きに延びる場合に上向きに傾斜する。例えば、表面５６、５８はほぼ同じ角度（例えば、リップ２０の中心平面５９に対して約３０°）で傾斜している。１つの構成では、表面５６は平面５９に対して約３３°の角度で傾斜し、表面５８は約３０°の角度で傾斜する。それにも関わらず、表面５６、５８は同じである、または３度以上、またいくつかの用途では、３度よりもはるかに大きく互いに対して変更することもできる。加えて、表面５６、５８は３０°より大きいまたは小さい角度で傾斜させることもできる。上および底表面５６、５８はほぼ平面的であることが好ましいが、凸または凹方向にいくつかの横方向または長手方向湾曲を有することができる。
【００２４】
前表面５２は、２つのほぼ垂直な軸周りで湾曲する凸状湾曲形状で形成されていることが好ましい。より詳細には、前表面５２はほぼ垂直軸周りで湾曲し、それによってそれぞれの側表面５４に近づくにつれて後向きに湾曲する。前表面５２はまた、ほぼ水平軸周りで湾曲し、それによってまた上および底表面５６、５８のそれぞれに近づくにつれて後向きに湾曲することが好ましい。好ましい１つの構成では、湾曲は楕円の弧に似ている。それにも関わらず、前表面５２は、異なる経路にしたがう湾曲、または変化する湾曲によって、球面状部分として画定することができる。前表面５２はまた、ほぼ平らな構成で形成することができる、または一方向だけに延びる単一の軸または複数の軸周りで湾曲することができる。
【００２５】
基部１４’がリップの一部として（すなわち、別個のインサートなしで）形成される場合、基部は、基部がリップ内の溶接インサートである場合と、同じボスおよび経路機構を有する。例えば、図７に示すリップおよび基部構成は、リップと一体的な単一の一体部として形成することができる。このようなリップの一例が、図１１および１２に示されている。図１２では、ロックと係合するボスの後壁面は、シュラウド１２’内の図示しないキャビティ内に受けられる。
【００２６】
シュラウド１２は、前部磨耗可能部６６、および後部取付部６８（図１〜４、および７〜８）を備えている。前部６６は図では、狭い前部エッジ７４と合流する上および底面合流壁面７０、７２を有する。取付部６８は、スロットまたはキャビティ９０を画定するようになっている間隔を置いて配置された１対の脚部７６、７８を備えている。スロットは、脚部７６、７８がリップ２０のより幅広い掘削エッジをまたぐように、その側部に沿って全体的に開いている。上部脚部７６は、基部１４およびランプ３２の上に重なる外側磨耗表面８０、および内側表面８２を備えている。同様に、底部脚部７８は、リップ２０の基部１４および外側面３６の上に重なる外側磨耗表面８４、および内側表面８６を備えている。図示した実施形態では、脚部７６、７８は、ほぼＶ字形の構成を集合的に有してリップの形状に対応するように、後向き方向に分岐する。分岐している脚部の使用によりまた、リップから取り除くことがより簡単になる。それにも関わらず、脚部の形状は、異なるリップ形状または異なる用途に対応するように変更することができる。また、上部脚部７６はランプ３２の後側に延びることができ、その製造の際の材料を少なくするため、その交換時の廃棄物を少なくするため、故障の危険性を低くするため、およびリップへの設置およびそこからの取り外しを簡単にするために、ランプの上にのみ設定されていることが好ましい。
【００２７】
キャビティ９０の前端部９１は、基部１４の前部４６を受けるように、脚部７６、７８の交点に画定される。この前端部は、前表面５２に当接するようになっている前部当接表面９２、側表面５４に沿った側壁、上表面５６の上に延びている上面９６、および底表面５８に沿った底面９８によって画定される。キャビティの前端部は、基部１４の前部４６を噛み合い可能に受けるようになっている。しかし、基部およびシュラウドは鋳造スチール部品であることが好ましいので、新しい場合にある程度の緩みが構成部品間に存在することは普通のことである。
【００２８】
前面９２は、前表面５２に当接するように２つのほぼ垂直軸周りで湾曲していることが好ましい。前表面５２に対する前面９２のこのような当接は、使用中に予測される実質的な軸方向負荷に耐えるための基本的な手段である。分かるように、掘削動作により負荷が、多くの異なる方向でシュラウドに対して加えられる。したがって、このような負荷は普通、軸方向成分と共に、垂直および／または横成分で加えられる。当接表面５２、９２の湾曲により、シュラウドは負荷がシュラウドの安定性を大きくし、負荷により十分に耐えるように加えられると、基部周りで振動することが可能になる。当接表面５２、９２のこのような相互作用は、本明細書に参照として組み込まれる、米国特許６，７２９，０５２号に記載したものと基本的に同じである。
【００２９】
シュラウド１２は、キャビティ９０（図４および７）内に基部１４を摺動させることによって基部１４上に設置される。図７からよく分かるように、シュラウドはキャビティ９０の上および底面９６、９８によって画定された傾斜経路上で上向きに摺動されて、前面９２が前表面５２に当接するまでボス４６の上および底表面５６、５８に沿って摺動する。底面９８は底表面５８に沿って係合し、それによって支持体１００はバックドラッグ力および上に向いた垂直成分を備えた力に耐えるように形成される。支持体１００は、シュラウド１２の上側脚部７６などの他の支持表面と組み合わせて上向きの負荷に耐えることが好ましい。シュラウド１２’（図１２）は図では、より長い脚部７８（図７）の代替物として短い下側脚部７８’を備えている。この配置では、支持体１００’はリセス９９’内に嵌合し、下側脚部７８’の端部を形成する。それにも関わらず、シュラウド１２はまた基部１４’と合わせて使用することもできる。
【００３０】
好ましい構成では、基部１４または１４’は、支持体１００がより大きい距離だけ上向きに延びることができるように、横に延びる経路またはリセス９９または９９’を提供する。この長い延長部が、基部１４と支持体１００の間の接触のためのより大きな表面積を提供し、優れた耐性のために前部エッジ７４まで加えられた上向き負荷のさらに上に支持体を持ち上げる。支持体１００は、リセス９９内に突出するように、底表面５８の幅の全てまたはほとんどに沿って延びる。支持体１００のこのような形成により、前部６６と底部脚部７８の間でキャビティ９０に沿って横縁部が画定される。それにも関わらず、支持体１００は相補的リセス内に受けられる非延長突起として、または一連の非延長突起として形成することができる。好ましい構成では、部分内での優れた支持および小さい局所応力のために、支持体１００は傾斜した係合表面９８、および反対側に傾斜した補強表面１０２を備えたほぼ対称の構成を有する。また、脚部７６、７８の交点の十字に隣接した突出支持体１００の位置決めにより、より強いアセンブリが提供される。
【００３１】
記したように、基部１４に対する支持体１００の係合は、最も多い掘削動作（図７）内で予想される磨耗部材への上向きの負荷に対する優れた耐性を提供する。より詳細には、シュラウド１０の前縁部７４に加えられた上向きの負荷Ｌは、シュラウドを基部１４周りで「回転」させる傾向がある、すなわち、前縁部７４が上向きに押され、上部脚部７６はリップに対して下向きに押される。支持体１００が下向きに傾斜した底表面５８に対して提供されない場合、後向きに延びた上部脚部７６は、片持ち梁形でより大きな抵抗を与えてシュラウドがリップから外れて転動しないようにするように押される。シュラウドの高い負荷において、これは脚部に大きな応力を加える可能性があり、過去に磨耗部材の破断につながることが何度かあった。支持体１００の提供によりまた、上部脚部７６が短い延長部を有し、ランプに対してのみに位置して、必要なスチールを少なくし、部品の製造を容易にすることを可能にする。支持体１００の前表面９８は、シュラウドの前部に加えられる負荷の多くにほぼ横になり、それによってシュラウドの転動に対する優れた耐性を提供するように傾斜される。好ましい構成では、前表面９８は底表面５８とほぼ同じ傾斜を有する。上に論じたように、傾斜は、特定の動作に対して予測される負荷からの支持を最大限にするために、磨耗部品の寸法および先述の使用によって変えることおよび選択することができる。
【００３２】
シュラウド１２上の下向きの負荷は、基部１４を支承する上面９６およびリップ２０を支承する底部脚部７８によって基本的に耐えられる。上面９６および対応する上表面５６はそれぞれ、下向きの力成分を有する負荷の多くに対して横向きである表面を提供し、それによって優れた耐性が提供されるように傾斜される。さらに、ロックでの上部脚部の固定は、シュラウドの振動に耐える傾向があり、したがって底部脚部により小さい応力を加える。それにも関わらず、キャビティ９０の上部に支持体が提供されていないので、底部脚部７８は脚部７６より大きな距離だけリップ２０にわたって延びていることが好ましい。また、外側面３６の磨耗を少なくするためには、磨耗プレート１０３は脚部７８と外側面３６の間でリップ２０に溶接されることが好ましい。別の方法では、上および底表面５６、５８は、特定の種類の掘削動作に望ましい場合に、反対方向に傾斜させることができる。
【００３３】
側面９４は、リップ２０上にシュラウド１０を適切に位置決めし、シュラウドに加えられた側部負荷に耐えるように側表面５４のそばに配置される。基部１４はリップより固い材料で形成されることが好ましいので、リップ上の従来の前部鋳造タブと比べて、過度の磨耗を受けることなく側部負荷に耐えることがより可能になる。基部はまた、従来のタブより大きな距離だけ前向きに突出する。
【００３４】
上部脚部７６は、ボス４６の後側に延びており、ロック１６を受けるように開口１０４で形成されている。開口１０４は、開口１０４の後面１０７と基部１４の後壁面１０６の間でロックを受けるようにボス４６の後側に延びる。好ましい構成では、後壁面１０６がアーム５０の端部に形成される。別の方法では、アーム５０を省略することができ、後壁面１０６を本体４８の後端部に形成することができる。いずれの場合でも、後壁面１０６は取付壁面２８の後部２８ａの前側に位置決めされており、それによってロックがリップ２０上に直接ではなく上壁面３８に設置されることが好ましい。開口１０４は矩形形状を有することが好ましいが、他の構成を使用することもできる。
【００３５】
ロック１６は、開口１０４の形状に一致することが好ましい本体１０８を備え、それによって図示する実施形態では、前壁面１１０、後壁面１１１、および側壁面１１２〜１１３（図１〜３）を備えたブロック状形状を有する。開口１０４内に設置される場合、前壁面１１０はボス４６の後壁面１０６に対向し、後壁面１１１は開口１０４の後面１０７に対向する。シュラウドおよび基部とのロックの係合により、シュラウドがリップから前向きに摺動するのが防止される。本明細書に参照として組み込まれる米国特許第５，０８８，２１４号に開示したロックと同様に、本体１０８は、側壁面１１２から延びる突起物１１８、および側壁１１３（図１０）から延びるラッチ１１９を備えている。突起物１１８は、開口１０４内に画定された棚１２０の下に嵌合し、ロック１６が開口１０４でその周りに回転する支柱１２２を形成する。ラッチ１１９は、開口１０４内にロックを解放可能に保持するように反対側の側部突起物１１８上に形成されることが好ましいが、ラッチ１１９他の表面上にも形成することができる。ラッチ１１９は、開口１０４内に画定されたキーパ１２８の下に嵌合するスチールタブ１２６と、タブ１２６をロックを解放するように引っ込めることができる弾力性部材１３０とを有する。弾力性部材１３０は、ゴムまたは他のエラストマーで構成されていることが好ましい。てこ用具１３２は、ラッチ１１９を解放し、ロック１６を開口１０４から取り除くために使用することができる。別の方法では、ラッチは、キーパからのラッチの解放を可能にするように、側壁面１１３上に形成された弾力性部材での側壁面１１２上への固定形成であってもよい。ロック１６はまた、本明細書に参照として組み込まれる米国特許第５，６５３，０４８号に開示されたような巻取要素を備えることができる。
【００３６】
いくつかの応用例では、シュラウド１０は大きく重くてもよい。これらの状況では、眼部１１６が、クレーンによるフックなどの取付けを簡単にするようにシュラウドの上部に形成される。しかし掘削中は、眼部は磨耗し、交換のためにリップからシュラウドを持ち上げるために利用可能ではない。フックの取付けを可能にするために、開口１０４はまた、ロック１６の後側に延長部１０４ａで形成されていることが好ましい。
【００３７】
好ましい構成では、窪み１３０は磨耗指標として働くように、上部合流壁面７０上に形成される。より詳細には、窪みが見えなくなった場合、使用者はシュラウドを交換する時だということが分かる。窪みは、作動部６６のほとんどが磨耗したが、キャビティ９０が作動部を通して曝され、それによって基部１４が高い磨耗材料に曝される前に交換が生じるような寸法および位置をしている。
【００３８】
上記議論は、本発明の好ましい実施形態に関する。様々な他の実施形態、および多くの変更は、特許請求の範囲で規定されたような、本発明の精神およびより幅広い態様から逸脱することなく行なうことができる。
【図面の簡単な説明】
【００３９】
【図１】バケットのリップに取り付けられた、本発明による磨耗アセンブリの斜視図である。
【図２】磨耗アセンブリの斜視図である。
【図３】磨耗アセンブリの正面図である。
【図４】磨耗アセンブリの展開斜視図である。
【図５】基部の前部分を省略した、リップの斜視図である。
【図６】リップに対する基部の展開斜視図である。
【図７】図３の線７−７に沿った断面図である。
【図８】磨耗部材の側面図である。
【図９】磨耗アセンブリの展開底部斜視図である。
【図１０】ロックの除去を簡単にするように器具を定位置に置いた、図３の線１０−１０に沿った磨耗アセンブリの断面図である。
【図１１】代替構成のリップの一部の底部斜視図である。
【図１２】図３の線１２−１２に沿った断面図である。
【図１】
2009506241.tif 000003
【図２】
2009506241.tif 000004
【図３】
2009506241.tif 000005
【図４】
2009506241.tif 000006
【図５】
2009506241.tif 000007
【図６】
2009506241.tif 000008
【図７】
2009506241.tif 000009
【図８】
2009506241.tif 000010
【図９】
2009506241.tif 000011
【図１０】
2009506241.tif 000012
【図１１】
2009506241.tif 000013
【図１２】
2009506241.tif 000014
【国際調査報告】
2009506241.tif 000015